(57)【要約】【目的】  分散角を低減したい或いは小型化したいといった要請に応えることができる光学部材及び照明装置及び投写型映像表示装置を提供する。【構成】  この投写型映像表示装置６は３つのＬＥＤ光源１Ｒ，１Ｇ，１Ｂを備える。ＬＥＤ光源１Ｒは赤色光を出射し、ＬＥＤ光源１Ｇは緑色光を出射し、ＬＥＤ光源１Ｂは青色光を出射する。各ＬＥＤ光源１から出射された光はクロスダイクロイックミラー２によってロッドインテグレータ３の光入射面に導かれる。前記クロスダイクロイックミラー２は、その赤色光入射領域と青色光入射領域が互いに非平行に形成されてテーパ形状を成している。また、ロッドインテグレータ３の側面は前記クロスダイクロイックミラー２の前記光入射領域と平行又は略平行に形成されてテーパ形状を成している。【選択図】        図１
2006208894.tif 000002
【特許請求の範囲】
【請求項１】
対面する第１・第２光入射領域と他の一つの光入射領域である第３光入射領域と前記第３光入射領域に対面する一つの光出射領域とを有し、入射された３つの色光をそれぞれ略同一方向へ導いて前記光出射領域から各色光を出射する光学部材において、前記第１光入射領域から入射された色光を反射して他の色光を透過する第１反射面と、前記第２光入射領域から入射された色光を反射して他の色光を透過する第２反射面とをクロス状に有して成り、前記第１光入射領域と第２光入射領域とから成る組又は対面する二つの非光入射領域から成る組の少なくとも一方が互いに非平行であることを特徴とする光学部材。
【請求項２】
請求項１に記載の光学部材において、前記第１反射面及び前記第２反射面がダイクロイックミラー又はダイクロイックプリズムから成ることを特徴とする光学部材。
【請求項３】
請求項１又は請求項２に記載の光学部材において、前記第３光入射領域よりも前記光出射領域の方が小さいことを特徴とする光学部材。
【請求項４】
請求項１又は請求項２に記載の光学部材において、前記第３光入射領域よりも前記光出射領域の方が大きいことを特徴とする光学部材。
【請求項５】
請求項１乃至請求項４のいずれかに記載の光学部材において、前記第１反射面と前記第２反射面の成す交差角度は直角であることを特徴とする光学部材。
【請求項６】
請求項１乃至請求項４のいずれかに記載の光学部材において、前記第１反射面と前記第２反射面の成す交差角度は非直角であることを特徴とする光学部材。
【請求項７】
請求項６に記載の光学部材において、前記交差角度のうち前記第３光入射領域側の交差角度は９０°未満であることを特徴とする光学部材。
【請求項８】
請求項６に記載の光学部材において、前記交差角度のうち前記第３光入射領域側の交差角度は９０°を越えることを特徴とする光学部材。
【請求項９】
赤色光を出射する第１光源と、緑色光を出射する第２光源と、青色光を出射する第３光源と、前記各光源からの光が前記各光入射領域に入射されるように設けられた請求項１乃至請求項８のいずれかに記載の光学部材と、前記光学部材から出射された各色光の強度を照明対象物上で均一化する中空又は非中空のロッド状の光インテグレータと、を備えたことを特徴とする照明装置。
【請求項１０】
請求項９に記載の照明装置において、前記光インテグレータはテーパ形状を有することを特徴とする照明装置。
【請求項１１】
請求項１０に記載の照明装置において、前記光インテグレータの側面は、前記光学部材の光入射領域及び非光入射領域となる４側面の全部又は一部と平行又は略平行に形成されていることを特徴とする照明装置。
【請求項１２】
請求項９乃至請求項１１のいずれかに記載の照明装置において、前記光学部材の第１反射面及び第２反射面にて反射された各光源の主光線軸が光学部材の光出射領域と直交するように、各光源が配置されていることを特徴とする照明装置。
【請求項１３】
請求項９乃至請求項１２のいずれかに記載の照明装置において、前記光インテグレータは非中空構造を有し、前記光インテグレータの屈折率よりも小さい屈折率を有する領域が前記光学部材の光出射領域と隣接して形成されていることを特徴とする照明装置。
【請求項１４】
請求項９乃至請求項１３のいずれかに記載の照明装置において、前記光源は固体発光素子から成ることを特徴とする照明装置。
【請求項１５】
請求項９乃至請求項１４のいずれかに記載の照明装置と、前記光インテグレータの光出射側に配置された一つのフルカラーライトバルブと、前記フルカラーライトバルブを経ることで得られた映像光を投写する投写手段と、を備えたことを特徴とする投写型映像表示装置。
【請求項１６】
請求項９乃至請求項１４のいずれかに記載の照明装置と、前記光インテグレータの光出射側に配置された一つのライトバルブと、各色光の出射タイミングに同期して前記ライトバルブに各色用の映像信号を供給する手段と、前記ライトバルブを経ることで得られた映像光を投写する投写手段と、を備えたことを特徴とする投写型映像表示装置。
【発明の詳細な説明】
【技術分野】
【０００１】
この発明は、複数の色光の合成に利用される光学部材、前記光学部材を有した照明装置、及び前記照明装置を備えた投写型映像表示装置に関する。
【背景技術】
【０００２】
図６は、従来の投写型映像表示装置を示した説明図である。この投写型映像表示装置は、直方体形状のクロスダイクロイックプリズム１００とテーパ形状のロッドインテグレータ１０１とから成る照明装置を備える。クロスダイクロイックプリズム１００の３つの光入射面には、赤色光源１１１と緑色光源１１２と青色光源１１３とが配置される。照明装置から出射された光は、透過型の液晶表示パネル１０４を経て変調され、投写レンズ１０５によって拡大投写される（特許文献１参照）。
【特許文献１】特開２００２−１８９２６３号
【発明の開示】
【発明が解決しようとする課題】
【０００３】
上記直方体形状のクロスダイクロイックプリズム１００とテーパ形状のロッドインテグレータ１０１とからなる照明装置では、光の分散角が大きくなる（或いは、光の分散角を小さくするためにロッドインテグレータの長さが長くなる）という欠点がある。
【０００４】
この発明は、上記事情に鑑み、光の分散角を低減したい（或いは、従来と同等の光の分散角を維持しつつロッドインテグレータを短くしたい）といった要請に応えることができる光学部材及び照明装置及び投写型映像表示装置を提供することを目的とする。
【課題を解決するための手段】
【０００５】
この発明の光学部材は、上記の課題を解決するために、対面する第１・第２光入射領域と他の一つの光入射領域である第３光入射領域と前記第３光入射領域に対面する一つの光出射領域とを有し、入射された３つの色光をそれぞれ略同一方向へ導いて前記光出射領域から各色光を出射する光学部材において、前記第１光入射領域から入射された色光を反射して他の色光を透過する第１反射面と、前記第２光入射領域から入射された色光を反射して他の色光を透過する第２反射面とをクロス状に有して成り、前記第１光入射領域と第２光入射領域とから成る組又は対面する二つの非光入射領域から成る組の少なくとも一方が互いに非平行であることを特徴とする。
【０００６】
上記の構成であれば、特に後述するテーパ形状のロッドインテグレータとの組み合わせによって分散角を低減する或いはロッドインテグレータを短くすることが容易になる。
【０００７】
上記構成の光学部材において、前記第１反射面及び前記第２反射面がダイクロイックミラー又はダイクロイックプリズムから成っているのがよい。また、これら構成の光学部材において、前記第３光入射領域よりも前記光出射領域の方が小さくてもよい。或いは、前記第３光入射領域よりも前記光出射領域の方が大きくてもよい。
【０００８】
また、これら構成の光学部材において、前記第１反射面と前記第２反射面の成す交差角度は直角であってもよい。或いは、前記第１反射面と前記第２反射面の成す交差角度は非直角であってもよい。非直角の構成においては、前記交差角度のうち前記第３光入射領域側の交差角度は９０°未満であってもよい。或いは、前記交差角度のうち前記第３光入射領域側の交差角度は９０°を越えることとしてもよい。
【０００９】
また、この発明の照明装置は、赤色光を出射する第１光源と、緑色光を出射する第２光源と、青色光を出射する第３光源と、前記各光源からの光が前記各光入射領域に入射されるように設けられた請求項１乃至請求項８のいずれかに記載の光学部材と、前記光学部材から出射された各色光の強度を照明対象物上で均一化する中空又は非中空のロッド状の光インテグレータと、を備えたことを特徴とする。
【００１０】
上記構成の照明装置において、前記光インテグレータはテーパ形状を有するのがよい。また、前記光インテグレータの側面は、前記光学部材の光入射領域及び非光入射領域となる４側面の全部又は一部と平行又は略平行に形成されているのがよい。
【００１１】
また、これら構成の照明装置において、前記光学部材の第１反射面及び第２反射面にて反射された各光源の主光線軸が光学部材の光出射領域と直交するように、各光源が配置されているのがよい。また、これら構成の照明装置において、前記光インテグレータは非中空構造を有し、前記光インテグレータの屈折率よりも小さい屈折率を有する領域が前記光学部材の光出射領域と隣接して形成されていてもよい。また、これら構成の照明装置において、前記光源は固体発光素子から成っていてもよい。
【００１２】
また、この発明の投写型映像表示装置は、上述したいずれかの照明装置と、前記光インテグレータの光出射側に配置された一つのフルカラーライトバルブと、前記フルカラーライトバルブを経ることで得られた映像光を投写する投写手段と、を備えたことを特徴とする。
【００１３】
また、この発明の投写型映像表示装置は、上述したいずれかの照明装置と、前記光インテグレータの光出射側に配置された一つのライトバルブと、各色光の出射タイミングに同期して前記ライトバルブに各色用の映像信号を供給する手段と、前記ライトバルブを経ることで得られた映像光を投写する投写手段と、を備えたことを特徴とする。
【発明の効果】
【００１４】
この発明によれば、分散角を低減したい或いは小型化したいといった要請に応えることができるという効果を奏する。
【発明を実施するための最良の形態】
【００１５】
以下、この発明の実施例を図１乃至図５に基づいて説明していく。
【００１６】
図１は単板式の投写型映像表示装置６Ａの光学系を示した斜視図である。この投写型映像表示装置６は光源として３つのＬＥＤ光源１Ｒ，１Ｇ，１Ｂを備える（以下、個々のＬＥＤ光源を特定しないで示すときには、符号”１”を用いる）。各ＬＥＤ光源１は、ＬＥＤ（発光ダイオード）が例えばアレイ状に配置された構造を有する。ＬＥＤ光源１Ｒは赤色光を出射し、ＬＥＤ光源１Ｇは緑色光を出射し、ＬＥＤ光源１Ｂは青色光を出射する。ＬＥＤ光源１Ｇはクロスダイクロイックミラー２を挟んでロッドインテグレータ３の光入射面に対面して設けられ、ＬＥＤ光源１ＲとＬＥＤ光源１Ｂはクロスダイクロイックミラー２を挟んで互いに対面して配置されている。すなわち、クロスダイクロイックミラー２の第１光入射領域にはＬＥＤ光源１Ｒが設けられ、第２光入射領域にはＬＥＤ光源１Ｂが設けられ、第３光入射領域にはＬＥＤ光源１Ｇが配置される。
【００１７】
クロスダイクロイックミラー２は、第１クロスダイクロイックミラー部２ａと第２クロスダイクロイックミラー部２ｂとをクロス配置して成る。第１クロスダイクロイックミラー部２ａは、赤色光を反射し赤色光以外の光を透過する。第２クロスダイクロイックミラー部２ｂは、青色光を反射し青色光以外の光を透過する。各ＬＥＤ光源１から出射された色光はクロスダイクロイックミラー２の光出射領域（面）から出射され、ロッドインテグレータ３の光入射面に導かれる。なお、図示はしていないが、クロスダイクロイックミラー２の非光入射領域にミラー板を設けることで光源光の利用効率を高めることができる。
【００１８】
前記クロスダイクロイックミラー２における二枚のダイクロイックミラ２ａ・２ｂの各々の一端側（光入射側における一端側）の縁を結ぶ面をクロスダイクロイックミラー２における光入射領域と定義する。前記クロスダイクロイックミラー２は、その第１光入射領域と第２光入射領域が互いに非平行に形成されてテーパ形状を成している。また、前記クロスダイクロイックミラー２の対面する二つの非光入射領域（前述したミラー板が配置される領域）も互いに非平行に形成されている。前記クロスダイクロイックミラー２の光出射領域は、第３光入射領域よりも小さい。
【００１９】
第１クロスダイクロイックミラー部２ａと第２クロスダイクロイックミラー部２ｂとは直角に交差している。そして、ＬＥＤ光源１Ｒ及びＬＥＤ光源１Ｂにおける主光線軸は、各クロスダイクロイックミラー部に対して４５°の角度で交差しており、各クロスダイクロイックミラー部で反射した光の主光線軸は前記クロスダイクロイックミラー２の光出射領域（二枚のダイクロイックミラ２ａ・２ｂの各々の一端側（光出射側における一端側）の縁を結ぶ面をクロスダイクロイックミラー２における光出射領域（面）と定義する）に直交する。
【００２０】
また、ロッドインテグレータ３は、内面がミラー面とされた四角筒構造（中空構造）を有している。ロッドインテグレータ３の少なくとも光出射領域の縦横比は液晶パネル４の縦横比に略一致している。各ＬＥＤ光源１からの各色光はロッドインテグレータ３のミラー面にて反射して液晶パネル４に導かれるので、各色光の光強度分布は液晶パネル４（照明対象物）上でほぼ均一化される。前記ロッドインテグレータ３の対面する二側面は前記クロスダイクロイックミラー２の第１・第２光入射領域と平行又は略平行に形成されてテーパ形状を成している。更に、前記ロッドインテグレータ３の前記二側面は前記第１・第２光入射領域と面一に形成されている。前記ロッドインテグレータ３の他の対面する二側面は前記クロスダイクロイックミラー２の非光入力領域と平行又は略平行に形成されている。更に、前記ロッドインテグレータ３の前記二側面は前記非光入射領域と面一に形成されている。前記ロッドインテグレータ３の光出射領域はその光入射領域よりも小さい。
【００２１】
液晶パネル４は、ＲＧＢカラーフィルタを備えた構造、或いはＲＧＢカラーフィルタを備えない構造を有する。ＲＧＢカラーフィルタを備える構造の液晶パネル４を用いる場合には、全ＬＥＤ光源１Ｒ，１Ｇ，１Ｂを同時点灯して白色光を液晶パネル４に導く。前記ＲＧＢカラーフィルタを備えない構造の液晶パネル４を用いる場合には、ＬＥＤ光源１Ｒ，１Ｇ，１Ｂを時分割で順次に所定時間点灯させると共に、この所定時間点灯のタイミングに同期させて液晶パネル４に各色の映像信号を供給する。
【００２２】
液晶パネル４を透過することで変調された光（映像光）は、投写レンズ５によって拡大投写され、図示しないスクリーン上に投影表示される。
【００２３】
上述した構成であれば、直方体形状のクロスダイクロイックプリズムとテーパ形状のロッドインテグレータとから成る従来照明装置に比べて、ロッドインテグレータの傾斜角を小さくすることが可能になり、光の分散角を小さくすることができる。また、ロッドインテグレータの傾斜角を同一とした場合はロッドインテグレータの長さを短くすることが可能になる。
【００２４】
なお、ＬＥＤ光源１は、平行光化用のレンズを備えていてもよい。また、ＬＥＤ光源１は、例えば、ＬＥＤチップがアレイ状に配置され且つ各ＬＥＤチップの光出射側にレンズセル（例えば、平行光化用）をモールド等により配置して成るものを用いることができる。ＬＥＤ光源１に代えて、１個のＬＥＤから成る光源を用いてもよい。
【００２５】
偏光変換装置をロッドインテグレータ３の光出射側に設けてもよい。この場合の偏光変換装置はロッドインテグレータ３の光出射部の大きさに対応した単一のＰＢＳ（偏光ビームスプリッタ）と、このＰＢＳにおける偏光分離膜に平行に設けられたミラーと、前記ミラー又はＰＢＳの光出射側に設けた位相差板とを備えればよい。ただし、この場合には、偏光変換装置の光出射部の大きさはロッドインテグレータ３の光出射部の大きさの２倍になる。従って、偏光変換装置の光出射部の全体形状が液晶パネルの縦横比に略一致させるのが望ましい。この場合、液晶パネルの縦横比をＡ：Ｂとすると、ロッドインテグレータ３の光出射領域の縦横比は例えばＡ：Ｂ／２となる。
【００２６】
また、偏光変換装置を各ＬＥＤの光出射側に設けてもよい。この場合の偏光変換装置はＬＥＤの光出射部の大きさに対応した単一のＰＢＳと、このＰＢＳにおける偏光分離膜に平行に設けられたミラーと、前記ミラー又はＰＢＳの光出射側に設けた位相差板とを備えればよい。
【００２７】
偏光変換装置は単一のＰＢＳから成るものに限るものではなく、一つのＬＥＤに対して二つのＰＢＳを用いてもよい。この場合、二つのＰＢＳにおける偏光分離膜は＜形状に設けられ、前記＜形状の先鋭側にＬＥＤが配置される。また、一列に並べられた複数のＬＥＤに対して前記二つのＰＢＳを用いることもできる。この場合、一列に並べられた複数のＬＥＤは前記＜形状の先鋭側に配置される。また、偏光分離膜としては誘電体多層膜或いはワイヤーグリッドを用いることができる。
【００２８】
図２は、単板式の投写型映像表示装置６Ｂの光学系を示した説明図である。図１の投写型映像表示装置６Ａと同一の構成要素には同一の符号を付記している。投写型映像表示装置６Ａとの相違点は、クロスダイクロイックミラー２に代えてクロスダイクロイックプリズム２１Ａを備え、ロッドインテグレータ３に代えてグラスロッドインテグレータ（非中空）３１を備える点である。クロスダイクロイックプリズム２１Ａ及びグラスロッドインテグレータ３１は共にテーパ形状を成しており、このテーパ形状に関する態様はクロスダイクロイックミラー２及びロッドインテグレータ３のテーパ形状に関する態様と同様である。更に、クロスダイクロイックプリズム２１Ａにおける二つの反射面及び光源の主光軸の態様についても、投写型映像表示装置６Ａと同様としている。液晶表示パネル４の駆動方式についても同様である。
【００２９】
クロスダイクロイックプリズム２１Ａとグラスロッドインテグレータ３１との間には、空気ギャップＡが形成されている。前記空気ギャップＡが存在することにより、例えば、クロスダイクロイックプリズム２１Ａの光出射面で反射した赤色光はクロスダイクロイックプリズム２１Ａ内に戻り、赤色光用の反射面によって反射されて再びクロスダイクロイックプリズム２１Ａから出射されることになる。同様に、クロスダイクロイックプリズム２１Ａの光出射面で反射した青色光はクロスダイクロイックプリズム２１Ａ内に戻り、青色光用の反射面によって反射されて再びクロスダイクロイックプリズム２１Ａから出射される。これにより、光の利用効率が向上する。
【００３０】
図３（ａ）は投写型映像表示装置６Ｃを示した説明図である。図２の投写型映像表示装置６Ｂと同一の構成要素には同一の符号を付記している。投写型映像表示装置６Ｂとの相違点は、クロスダイクロイックプリズム２１Ａに代えてクロスダイクロイックプリズム２１Ｂを備える点である。クロスダイクロイックプリズム２１Ｂの二つの反射面の成す交差角度は非直角であり、前記交差角度のうち前記第３光入射領域側の交差角度は９０°を越えている。クロスダイクロイックプリズム２１Ｂの二つの反射面にて反射されたＬＥＤ光源１Ｒ・１Ｂの主光線軸がクロスダイクロイックプリズム２１Ｂの光出射領域（面）と直交するように、各ＬＥＤの光出射方向が調整されている。かかる構成においては、クロスダイクロイックプリズム２１Ｂの長さが短いため、照明装置の全体の長さを短くすることができる。
【００３１】
図３（ｂ）は投写型映像表示装置６Ｄを示した説明図である。図２の投写型映像表示装置６Ｂと同一の構成要素には同一の符号を付記している。投写型映像表示装置６Ｂとの相違点は、クロスダイクロイックプリズム２１Ａに代えてクロスダイクロイックプリズム２１Ｃを備える点である。クロスダイクロイックプリズム２１Ｃの二つの反射面の成す交差角度は非直角であり、前記交差角度のうち前記第３光入射領域側の交差角度は９０°未満である。クロスダイクロイックプリズム２１Ｃの二つの反射面にて反射されたＬＥＤ光源１Ｒ・１Ｂの主光線軸がクロスダイクロイックプリズム２１Ｃの光出射領域（面）と直交するように、各ＬＥＤの光出射方向が調整されている。かかる構成においては、照明装置の全体の長さは長くなるが、クロスダイクロイックプリズム２１Ｃの第１・第２光入射領域を大きくすることができる。
【００３２】
図４（ａ）は、図１乃至図３に示した照明装置（ダイクロイックミラー或いはダイクロイックプリズムは省略している）に共通する構造を示している。すなわち、これらの照明装置におけるダイクロイックミラー或いはダイクロイックプリズムは、対面する二つの光入射領域から成る組及び対面する二つの非光入射領域から成る組の両方ともが非平行である。そして、グラスロッドインテグレータも対面する二つの側面から成る組及び他の対面する二つの側面から成る組の両方ともが非平行である。
【００３３】
図４（ｂ）及び図４（ｃ）は変形例を示している。図４（ｂ）に示す投写型映像表示装置６Ｅのクロスダイクロイックミラー（或いはクロスダイクロイックプリズム）は、その対面する二つの光入射領域（赤色光入射領域と青色光入射領域）が互いに平行に形成される一方、その対面する二つの非光入射領域が互いに非平行に形成されている。図４（ｃ）に示す投写型映像表示装置６Ｆのクロスダイクロイックミラー（或いはクロスダイクロイックプリズム）は、その対面する二つの光入射領域（赤色光入射領域と青色光入射領域）が互いに非平行に形成される一方、その対面する二つの非光入射領域が互いに平行に形成されている。そして、図４（ｂ）及び図４（ｃ）において、グラスロッドインテグレータ３１Ａ，３１Ｂも対面する二つの側面から成る組及び他の対面する二つの側面から成る組の一方が非平行である。いずれの構造においても、液晶パネル４の面積よりも第３光入射領域（緑色光入射領域）の面積を大きくすることができ、緑色光の光量を増大することが容易である。
【００３４】
図５は投写型映像表示装置６Ｇを示した説明図である。上述した投写型映像表示装置との相違点は、クロスダイクロイックプリズム２２及びグラスロッドインテグレータ３２を備えている点である。前記クロスダイクロイックプリズム２２は、その第３光入射領域（緑色光入射領域）よりもその光出射領域の方が大きい。そして、グラスロッドインテグレータ３２も、その光入射領域よりもその光出射領域の方が大きい。かかる構成では、光の分散角はより小さくなる。
【００３５】
前記投写型映像表示装置６Ｇにおいても、クロスダイクロイックプリズム２２は、対面する二つの光入射領域からなる組及び対面する二つの非光入射領域からなる組の少なくとも一方が互いに非平行であればよい。クロスダイクロイックプリズム２２の第１反射面と第２反射面の成す交差角度は直角でもよいし、非直角でもよい。前記交差角度を非直角とする場合、前記交差角度のうち第３光入射領域（緑色光入射領域）側の交差角度は９０°未満であってもよし、９０°を越えてもよい。交差角度を９０°未満とする構成では、赤色光入射領域及び青色光入射領域を大きくすることができる。グラスロッドインテグレータ３２の側面は、クロスダイクロイックプリズム２２の光入射領域及び非光入射領域となる４側面のいずれか一つと平行又は略平行に形成されていればよい。前記クロスダイクロイックプリズム２２の第１反射面及び第２反射面にて反射された各光源１０Ｒ，１０Ｇ，１０Ｂの主光線軸がクロスダイクロイックプリズム２２の光出射領域（面）と直交するように、各光源１０Ｒ，１０Ｇ，１０Ｂの主光線軸が調整されているのがよい。前記クロスダイクロイックプリズム２２とグラスロッドインテグレータ３２との間にエヤギャップ（グラスロッドインテグレータ３２及びクロスダイクロイックプリズム２２よりも屈折率が小さい領域）を有するのがよい。液晶表示パネル４や光源の駆動方式は投写型映像表示装置６Ａと同じでよい。クロスダイクロイックプリズム２２に代えてダイクロイックミラーを採用してもよい。グラスロッドインテグレータ３２に代えて中空構造のロッドインテグレータを用いてもよい。
【００３６】
以上の説明において、投写型映像表示装置は透過型の液晶パネルを備えることとしたが、これに限らず、反射型の液晶パネルを用いてもよいし、これら液晶パネルに替えて、画素となる微小ミラーを個々に駆動するタイプの表示パネルを用いることとしてもよい。また、固体発光素子は発光ダイオード（ＬＥＤ）に限るものではなく、有機／無機のエレクトロルミネッセンスなどを用いることができる。また、光源は固体発光素子に限定されるものではない。また、投写レンズに代えて投写用の曲面ミラーを備えてもよい。
【図面の簡単な説明】
【００３７】
【図１】この発明の実施形態の投写型映像表示装置の光学系を示した説明図である。
【図２】この発明の実施形態の投写型映像表示装置の光学系を示した説明図である。
【図３】同図（ａ）及び同図（ｂ）はそれぞれこの発明の実施形態の投写型映像表示装置の光学系を示した説明図である。
【図４】同図（ａ）乃至同図（ｃ）はそれぞれこの発明の実施形態の投写型映像表示装置の光学系を示した説明図である。
【図５】この発明の実施形態の投写型映像表示装置の光学系を示した説明図である。
【図６】従来の直方体形状のクロスダイクロイックプリズムを用いた投写型映像表示装置を示した説明図である。
【符号の説明】
【００３８】
１    ＬＥＤ光源
２    クロスダイクロイックミラー
２１Ａ，２１Ｂ，２１Ｃ  クロスダイクロイックプリズム
３，３１，３１Ａ，３１Ｂ，３２    ロッドインテグレータ
４    液晶パネル
５    投写レンズ
６Ａ，６Ｂ，６Ｃ，６Ｄ，６Ｅ，６Ｆ，６Ｇ    投写型映像表示装置
【図１】
2006208894.tif 000003
【図２】
2006208894.tif 000004
【図３】
2006208894.tif 000005
【図４】
2006208894.tif 000006
【図５】
2006208894.tif 000007
【図６】
2006208894.tif 000008